(57)【要約】【課題】より不都合が少なく改善された新規な構成の開閉装置用のスイッチボックスを得る。【解決手段】構造物に設けられた開閉装置に無線により操作信号を送信するスイッチボックスであって、電磁波遮蔽性の材料で構成され、第一の開口部が設けられたケースと、電磁波遮蔽性の材料で構成され、第一の開口部を開閉可能に覆う蓋と、ケースに収容され、スイッチボタンと、スイッチボタンの操作信号を無線送信するアンテナと、を有したスイッチユニットと、を備える。【選択図】図３
2018025051.tif 000002
【特許請求の範囲】
【請求項１】
構造物に設けられた開閉装置に無線により操作信号を送信するスイッチボックスであって、
電磁波遮蔽性の材料で構成され、第一の開口部が設けられたケースと、
電磁波遮蔽性の材料で構成され、前記第一の開口部を開閉可能に覆う蓋と、
前記ケースに収容され、スイッチボタンと、前記スイッチボタンの操作信号を無線送信するアンテナと、を有したスイッチユニットと、
を備えた、開閉装置用のスイッチボックス。
【請求項２】
前記スイッチボタンの可動部を覆い押圧操作に応じて前記可動部とともに移動するボタンカバーと、
前記蓋が開いた状態で露出する第一の面を有し、少なくとも前記ボタンカバーの操作面を露出させる第二の開口部が設けられ、前記スイッチユニットを覆うカバープレートと、
を備え、
前記操作面は、前記第一の面よりも前記蓋から離れて位置された、請求項１に記載の開閉装置用のスイッチボックス。
【請求項３】
前記ケースは、前記蓋を開閉可能に支持する第一の部分と、前記第一の部分とは異なる第二の部分と、を有し、
前記スイッチボックスは、
前記蓋を閉じた状態で前記ケースにロックするロック機構と、
前記蓋が開いた状態で、前記スイッチユニット、前記カバープレート、および前記第一の部分が一体化されたサブアセンブリを、前記第二の部分に着脱可能に結合する結合機構と、
を備えた、請求項２に記載の開閉装置用のスイッチボックス。
【請求項４】
前記ケースは、少なくとも一部が前記構造物の壁部に埋まった状態に設けられた、請求項１〜３のうちいずれか一つに記載の開閉装置用のスイッチボックス。
【発明の詳細な説明】
【技術分野】
【０００１】
本発明は、開閉装置用のスイッチボックスに関する。
【背景技術】
【０００２】
従来、スイッチボタンと、スイッチボタンの操作信号を開閉装置に無線により送信するアンテナと、を備えた開閉装置用のスイッチ装置が、知られている（例えば、特許文献１参照）。
【先行技術文献】
【特許文献】
【０００３】
【特許文献１】特開２０１６−２０５６０号公報
【発明の概要】
【発明が解決しようとする課題】
【０００４】
この種の構造では、例えば、より防犯性を高めることができる等、より不都合が少なく改善された新規な構成が得られれば、有益である。本発明の課題の一つは、例えば、より不都合が少なく改善された新規な構成の開閉装置用のスイッチボックスを得ることである。
【課題を解決するための手段】
【０００５】
本発明の開閉装置用のスイッチボックスは、例えば、構造物に設けられた開閉装置に無線により操作信号を送信するスイッチボックスであって、電磁波遮蔽性の材料で構成され、第一の開口部が設けられたケースと、電磁波遮蔽性の材料で構成され、上記第一の開口部を開閉可能に覆う蓋と、上記ケースに収容され、スイッチボタンと、上記スイッチボタンの操作信号を無線送信するアンテナと、を有したスイッチユニットと、を備える。このような開閉装置用のスイッチボックスによれば、例えば、蓋が閉じられた状態でのスイッチボタンの操作を防止でき、ひいては開閉装置の防犯性を高めることができる。
【０００６】
また、上記開閉装置用のスイッチボックスでは、例えば、上記スイッチボタンの可動部を覆い押圧操作に応じて上記可動部とともに移動するボタンカバーと、上記蓋が開いた状態で露出する第一の面を有し、少なくとも上記ボタンカバーの操作面を露出させる第二の開口部が設けられ、上記スイッチユニットを覆うカバープレートと、を備え、上記操作面は、上記第一の面よりも上記蓋から離れて位置される。よって、例えば、スイッチボタンの操作面に誤って物等が当たるのが抑制されたり、カバープレートとスイッチユニットとが一体化されたサブアセンブリの運搬時等に操作面が不用意に押されるのが抑制されたりしうる。よって、例えば、操作者の意図しない誤操作が抑制され、ひいては電池の無駄な消耗が抑制されうる。
【０００７】
また、上記開閉装置用のスイッチボックスでは、例えば、上記ケースは、上記蓋を開閉可能に支持する第一の部分と、上記第一の部分とは異なる第二の部分と、を有し、上記スイッチボックスは、上記蓋を閉じた状態で上記ケースにロックするロック機構と、上記蓋が開いた状態で、上記スイッチユニット、上記カバープレート、および上記第一の部分が一体化されたサブアセンブリを、上記第二の部分に着脱可能に結合する結合機構と、を備える。よって、例えば、ロック機構および結合機構によって、防犯性を高めることができつつ、スイッチボックスの組立作業や、メンテナンス作業等がより容易に行われやすくなる。
【０００８】
また、上記開閉装置用のスイッチボックスでは、例えば、上記ケースは、少なくとも一部が上記構造物の壁部に埋まった状態に設けられる。よって、例えば、ケースが壁部の表面に取り付けられた場合と比べて、スイッチボックスの開封や、改変、盗難等が抑制されうる。
【発明の効果】
【０００９】
本発明によれば、例えば、より不都合が少なく改善された新規な構成の開閉装置用のスイッチボックスが得られる。
【図面の簡単な説明】
【００１０】
【図１】図１は、第１実施形態のスイッチボックスを備えた開閉装置の例示的かつ模式的な構成図である。
【図２】図２は、図１のII−II断面図である。
【図３】図３は、第１実施形態のスイッチボックスの開位置での例示的かつ模式的な正面図である。
【図４】図４は、第１実施形態のスイッチボックスの閉位置での例示的かつ模式的な斜視図である。
【図５】図５は、第１実施形態のスイッチボックスの開位置での例示的かつ模式的な斜視図である。
【図６】図６は、第１実施形態のスイッチボックスのサブアセンブリを蓋側から見た閉位置での例示的かつ模式的な斜視図である。
【図７】図７は、第１実施形態のスイッチボックスのサブアセンブリを蓋側から見た開位置での例示的かつ模式的な斜視図である。
【図８】図８は、第１実施形態のスイッチボックスのサブアセンブリを蓋とは反対側から見た閉位置での例示的かつ模式的な斜視図である。
【図９】図９は、第１実施形態のスイッチボックスのサブアセンブリを蓋とは反対側から見た開位置での例示的かつ模式的な斜視図である。
【図１０】図１０は、図７のX−X断面図である。
【図１１】図１１は、第１実施形態のスイッチボックスのスイッチユニットの例示的かつ模式的な斜視図である。
【図１２】図１２は、図１１のXII−XII断面図である。
【図１３】図１３は、第１実施形態のスイッチボックスの基板の例示的かつ模式的な斜視図である。
【図１４】図１４は、第１実施形態のスイッチボックスのボタンカバーを操作面側から見た例示的かつ模式的な斜視図である。
【図１５】図１５は、第１実施形態のスイッチボックスのボタンカバーを操作面とは反対側から見た例示的かつ模式的な斜視図である。
【図１６】図１６は、第２実施形態のスイッチボックスの例示的かつ模式的な断面図である。
【発明を実施するための形態】
【００１１】
以下、本発明の例示的な実施形態が開示される。以下に示される実施形態の構成、ならびに当該構成によってもたらされる作用および結果（効果）は、一例である。
【００１２】
また、以下に開示される複数の実施形態には、同様の構成要素が含まれる。よって、以下では、それら同様の構成要素には共通の符号が付与されるとともに、重複する説明が省略される。なお、以下の各図では、便宜上、互いに直交する三方向が定義されている。Ｘ方向は、スイッチボックス４０の厚さ方向に沿うとともに、開閉体１０の厚さ方向に沿う。Ｙ方向は、スイッチボックス４０の幅方向（短手方向）に沿うとともに、開閉体１０の幅方向（短手方向）に沿う。Ｚ方向は、スイッチボックス４０の高さ方向（長手方向）に沿うとともに、開閉体１０の高さ方向（長手方向）に沿う。Ｘ方向は、第一の方向の一例であり、Ｙ方向は、第二の方向の一例である。また、以下では、Ｘ方向は前方、Ｘ方向の反対方向は後方とも称されうる。
【００１３】
＜第１実施形態＞
図１に示されるスイッチボックス４０は、例えば、構造物２に設けられた開口部３を開閉可能に覆うシャッター装置１の操作部である。スイッチボックス４０は、シャッター装置１の受信部３４に無線により操作信号を送信可能である。シャッター装置１は、開閉装置の一例であり、開閉体１０や、ガイドレール２０、収納部３０、スイッチボックス４０等を備えている。構造物２は、例えば、住宅や、車庫、倉庫、ビル、店舗、工場等の建築構造物である。
【００１４】
開閉体１０は、Ｚ方向に沿って、閉位置と、開位置と、の間で移動可能に設けられている。開閉体１０は、例えば、ベース部材１１と、ベース部材１１の下端部に設けられた座板部材１２と、を有する。開閉体１０が閉位置にある状態では、座板部材１２と床面Ｐとが当接する。また、開閉体１０が開位置にある状態では、座板部材１２と収納部３０の下端部とが当接する。床面Ｐは、地面や、コンクリート面等とも称され、ベース部材１１は、シャッター部材等とも称されうる。
【００１５】
ガイドレール２０は、開閉体１０のＹ方向およびその反対方向の端部に設けられている。ガイドレール２０は、例えば、Ｕ字状の断面を有してＺ方向に直線状に延びており、開閉体１０をＺ方向に沿ってスライド可能に案内する。
【００１６】
収納部３０は、ガイドレール２０および開閉体１０の上方（Ｚ方向）に設けられている。収納部３０は、例えば、収納ケース３１と、巻取軸３２と、開閉機３３と、受信部３４と、を有する。巻取軸３２は、収納ケース３１内に開閉体１０を巻き取って収納したり、収納ケース３１外に開閉体１０を引き出したりする。開閉機３３は、巻取軸３２に回転力を伝達する。受信部３４は、スイッチボックス４０から送信された送信信号を受信するアンテナ３４ａや、送信信号を復調する復調回路、復調回路により復調された信号に応じて開閉機３３の動作を制御する制御回路等を有している。
【００１７】
図２，３に示されるように、スイッチボックス４０は、例えば、ケース４１と、蓋４２と、カバープレート４３と、スイッチユニット５０と、を有する。ケース４１は、Ｚ方向に縦長な直方体状の箱型に構成されている。ケース４１は、外壁部としての複数の壁部４１ａ〜４１ｆを有する。図４にも示されるように、蓋４２は、壁部４１ａの少なくとも一部を構成している。ケース４１は、蓋４２とは反対側の壁部４１ｂが構造物２の壁部２ａ（側壁、図２参照）に面した姿勢で、設置される。壁部４１ｂは、例えば、ねじ等の結合具や、接着剤等によって壁部２ａに結合されうる。
【００１８】
また、ケース４１は、例えば、第一の部分４１Ａと、第二の部分４１Ｂと、を有する。第二の部分４１Ｂは、少なくとも、壁部４１ｂ〜４１ｆを有する。図４に示されるように、壁部４１ｂは、ＹＺ平面に沿って延び、壁部４１ｃ，４１ｄは、ＸＹ平面に沿って延び、壁部４１ｅ，４１ｆは、ＸＺ平面に沿って延びている。第二の部分４１Ｂには、壁部４１ｂ〜４１ｆによって囲まれ、Ｘ方向すなわち蓋４２側に向けて開放された空間４１ｒ（室、図２参照）が設けられている。第二の部分４１Ｂは、下ケースや、第一のケース等とも称されうる。
【００１９】
図２，６，７に示されるように、第一の部分４１Ａは、壁部４１ａの一部とホルダ部４ｇとを有している。壁部４１ａの一部は、蓋４２の周りを囲んだ四角形状の枠状の部分である。壁部４１ａは、ＹＺ平面に沿って延びている。図２，５に示されるように、第一の部分４１Ａは、空間４１ｒの周縁部をＸ方向から覆う状態で、第二の部分４１Ｂと一体化される。第一の部分４１Ａは、上ケースや、第二のケース等とも称されうる。ケース４１および蓋４２は、例えば、金属材料等の電磁波遮蔽性の材料、具体的には鉄系材料によって構成されている。
【００２０】
また、図２に示されるように、ホルダ部４ｇは、壁部４１ａから壁部４１ｂ側（後方、Ｘ方向の反対方向）、すなわち空間４１ｒ内に突出する第一の壁部４ｇ１と、第一の壁部４ｇ１の壁部４１ｂ側の端部からＺ方向に沿って延びた第二の壁部４ｇ２と、を有する。図７〜９に示されるように、第一の壁部４ｇ１は、壁部４１ａから壁部４１ｃ〜４１ｆ（図４参照）に沿って角筒状に突出している。
【００２１】
また、図２，８，９に示されるように、第二の壁部４ｇ２は、Ｚ方向に互いに間隔をあけて設けられている。第二の壁部４ｇ２は、第一の壁部４ｇ１からＹＺ平面に沿って第一の部分４１Ａの中心部側に突出している。第二の壁部４ｇ２の蓋４２側を向いた面は、カバープレート４３のＺ方向およびその反対方向の端部を支持している。また、第二の壁部４ｇ２の内側のスペースからは、カバープレート４３に支持されたスイッチユニット５０が蓋４２とは反対側に突出している。
【００２２】
図２，７に示されるように、第一の部分４１Ａには、第一の壁部４ｇ１、第二の壁部４ｇ２、カバープレート４３、およびスイッチユニット５０によって囲まれ、蓋４２側に向けて開放された前側空間４１ｓが設けられている。蓋４２は、前側空間４１ｓを開閉可能に覆っている。前側空間４１ｓは、第一の開口部の一例である。空間４１ｒは、ホルダ部４ｇおよびカバープレート４３によって、前側空間４１ｓと後側空間４１ｔとに分けられている。
【００２３】
また、図２，３に示されるように、蓋４２は、壁部４１ａの後側に設けられたヒンジ部４４によって回動可能に支持されている。ヒンジ部４４は、Ｚ方向に沿って延びる回転軸４４ａ（図２参照）を有し、前側空間４１ｓのＹ方向の反対方向の縁部４１ｓ１（図３参照）と、蓋４２の縁部４１ｓ１側の端部（辺部）と、に固定されている。ヒンジ部４４により、蓋４２は、回転軸４４ａ回りに回転し、前側空間４１ｓを閉じる閉位置（図４，６参照）と、前側空間４１ｓを開放する開位置（図５，７参照）との間で、回動することができる。
【００２４】
また、図５に示されるように、蓋４２には、ロック機構８０が設けられている。ロック機構８０は、不図示のキーの開閉操作（回転）に連動するロック部材８０ａを有する。キーが閉位置にある状態では、ロック部材８０ａは、ロック位置（図８参照）に位置される。ロック位置では、ロック部材８０ａは、第一の壁部４ｇ１に設けられたスリット状の開口部４ｇ３内に進入する。よって、ロック部材８０ａと開口部４ｇ３の縁部とがＸ方向に互いに引っ掛かることにより、蓋４２のケース４１に対するＸ方向への移動が制限され、蓋４２が閉じられた状態でケース４１にロックされる。一方、キーが開位置にある状態では、ロック部材８０ａは、ロック解除位置に位置される。ロック解除位置では、ロック部材８０ａは、開口部４ｇ３から離脱し、Ｘ方向に見てロック部材８０ａと開口部４ｇ３（第一の壁部４ｇ１）とが離間する。よって、蓋４２のケース４１に対するＸ方向への移動が開口部４ｇ３の縁部によって阻止される状態が解消され、蓋４２とケース４１とのロックが解除される。
【００２５】
また、図２に示されるように、第二の部分４１Ｂには、サポート部４ｈが設けられている。サポート部４ｈは、壁部４１ｂから蓋４２側、すなわち空間４１ｒ内に突出する第一の壁部４ｈ１と、第一の壁部４ｈ１の蓋４２側の端部からＺ方向に沿って延びた第二の壁部４ｈ２と、を有する。第一の壁部４ｈ１は、第一の壁部４ｇ１と同様に、壁部４１ｃ〜４１ｆ（図４参照）に沿った角筒状に構成されうる。サポート部４ｈは、囲繞部とも称されうる。後側空間４１ｔは、サポート部４ｈによって、外側空間４１ｔ１と内側空間４１ｔ２とに区画されている。
【００２６】
また、第二の壁部４ｈ２は、Ｚ方向に互いに間隔をあけて設けられ、第一の壁部４ｈ１からＹＺ平面に沿って第二の部分４１Ｂの中心部側に突出している。第二の壁部４ｈ２の蓋４２側を向いた面は、第二の壁部４ｇ２と面している。そして、本実施形態では、これら二つの第二の壁部４ｇ２，４ｈ２を貫通する結合具６０によって、スイッチユニット５０、カバープレート４３、および第一の部分４１Ａが一体化されたサブアセンブリ７０（図７参照）が、第二の部分４１Ｂに着脱可能に結合されている。結合具６０は、結合機構の一例であり、例えば、ねじやボルト等である。
【００２７】
図２に示されるように、サブアセンブリ７０と第二の部分４１Ｂとが互いに結合された状態では、スイッチユニット５０は、内側空間４１ｔ２に収容される。また、本実施形態では、第二の壁部４ｇ２と第二の壁部４ｈ２との間に一定の隙間が設けられるよう構成されている。これにより、製造ばらつきが吸収されやすく、ひいてはサブアセンブリ７０と第二の部分４１Ｂとがより精度よく一体化されうる。結合具６０は、蓋４２が閉位置（図４参照）にある状態では、サブアセンブリ７０と第二の部分４１Ｂとを結合不能であり、蓋４２が開位置（図５参照）にある状態で、サブアセンブリ７０と第二の部分４１Ｂとを結合可能である。また、サブアセンブリ７０がサポート部４ｈに取り付けられた状態で、スイッチユニット５０は、ケース４１と、サポート部４ｈおよびカバープレート４３と、によって二重に覆われる。本実施形態では、このような二重構造によって、スイッチユニット５０の保護性が高められている。
【００２８】
図７，８に示されるように、カバープレート４３は、例えば、覆部４３ａと、フック部４３ｂと、を有する。覆部４３ａは、ＹＺ平面に沿って延びており、スイッチユニット５０をＸ方向から、すなわち前方から覆っている。また、覆部４３ａは、蓋４２側（前側）を向いた面４３ａ１と、スイッチユニット５０側（後側）を向いた面４３ａ２（図１０参照）と、を有する。面４３ａ１は、蓋４２が開位置（図７参照）にある状態で、ケース４１の外側に露出可能である。面４３ａ１は、第一の面の一例である。
【００２９】
また、覆部４３ａには、スイッチユニット５０のスイッチボタン５３の操作部５８ａを露出させる開口部４３ｅが設けられている。図３にも示されるように、本実施形態では、開口部４３ｅは、複数（例えば、三つ）の操作部５８ａを一体に露出させる連結された穴として構成されている。開口部４３ｅは、第二の開口部の一例である。カバープレート４３は、例えば、合成樹脂材料等の電磁波透過性の材料によって構成されている。カバープレート４３は、化粧プレート等とも称されうる。
【００３０】
また、図８に示されるように、フック部４３ｂは、覆部４３ａのＹ方向およびその反対方向の端部に設けられている。図７にも示されるように、フック部４３ｂは、覆部４３ａから蓋４２とは反対側（後方）に突出し、当該反対側の端部で操作部５８ａ側に折り曲げられている。フック部４３ｂは、折り曲げられた爪部分（先端部分）でスイッチユニット５０を支持することができる。本実施形態では、複数（例えば、四つ）のフック部４３ｂによって、スイッチユニット５０の四隅が支持されている。
【００３１】
図１０に示されるように、スイッチユニット５０は、例えば、ユニットケース５１と、ユニットカバー５２と、スイッチボタン５３と、基板５４と、アンテナ５５と、電池保持部５６と、ボタンカバー５８と、を有する。図１１に示されるように、スイッチユニット５０は、全体としては、Ｚ方向に縦長な直方体状の箱型に構成されている。なお、図１１では、便宜上、電池保持部５６の蓋部材５９（図１０参照）は図示省略されている。
【００３２】
図１１に示されるように、ユニットケース５１は、例えば、周壁部５１ａと、隔壁部５１ｂと、フランジ部５１ｃと、を有する。周壁部５１ａは、カバープレート４３の覆部４３ａ（図１０参照）と直交する方向（ＸＹ平面またはＸＺ平面）に沿って延びている。ＸＹ平面に沿って延びた周壁部５１ａは、短辺部等とも称され、ＸＺ平面に沿って延びた周壁部５１ａは、長辺部等とも称されうる。
【００３３】
隔壁部５１ｂは、周壁部５１ａの二つの長辺部の間に渡って設けられている。隔壁部５１ｂは、図１０の視線では、電池５７の外面に沿った略円弧状に構成されている。隔壁部５１ｂは、電池保持部５６の少なくとも一部を構成しており、周壁部５１ａ内を電池５７側の空間５１ｓと電池５７とは反対側の空間５１ｒとに仕切っている。空間５１ｒは、周壁部５１ａと隔壁部５１ｂとによって囲まれ、Ｘ方向に向けて開放されている。空間５１ｓは、周壁部５１ａと隔壁部５１ｂとによって囲まれ、Ｘ方向の反対方向に向けて開放されている。空間５１ｓには、電池５７が収容され、空間５１ｒには、基板５４や、アンテナ５５、スイッチボタン５３等が収容される。空間５１ｒは、部品収容空間とも称され、空間５１ｓは、電池収容空間とも称されうる。
【００３４】
フランジ部５１ｃは、周壁部５１ａの長辺部からＹＺ平面に沿って周壁部５１ａの外側に張り出している。図８に示されるように、フランジ部５１ｃは、カバープレート４３のフック部４３ｂに支持される。
【００３５】
図１０に示されるように、ユニットカバー５２は、例えば、周壁部５２ａと、覆部５２ｂと、を有する。覆部５２ｂは、ＹＺ平面に沿って延びており、ユニットケース５１の空間５１ｒをＸ方向から覆っている。また、覆部５２ｂには、スイッチボタン５３の操作部５８ａを露出させる開口部５２ｂ１が設けられている。
【００３６】
また、覆部５２ｂには、開口部５２ｂ１の縁部から内側に突出した突出部５２ｃが設けられている。突出部５２ｃは、例えば、開口部５２ｂ１の周縁部に沿った円環状（内向きフランジ状）に構成されうる。図１０，１２に示されるように、突出部５２ｃは、開口部５２ｂ１内で操作部５８ａの外周面５８ａ２を支持（保持）している。
【００３７】
図１１に示されるように、周壁部５２ａは、覆部５２ｂと直交する方向（ＸＹ平面またはＸＺ平面）に沿って延びている。ＸＹ平面に沿って延びた周壁部５２ａは、短辺部等とも称され、ＸＺ平面に沿って延びた周壁部５２ａは、長辺部等とも称されうる。周壁部５２ａは、ユニットケース５１の周壁部５１ａと対向している。ユニットカバー５２は、電磁波透過性の材料によって構成されている。
【００３８】
図１０に示されるように、基板５４は、ユニットケース５１の空間５１ｒに収容されている。基板５４は、Ｘ方向を向いた面５４ａと、Ｘ方向の反対方向を向いた面５４ｂと、を有する。図１２に示されるように、面５４ａには、複数（例えば、三つ）のスイッチボタン５３と発光部６５とが、Ｚ方向に互いに間隔をあけて設けられている。
【００３９】
また、図１３に示されるように、基板５４のＹ方向の反対方向の端部には、開口部５４ｒが設けられている。開口部５４ｒは、凹部や、溝部、切欠部等とも称され、Ｙ方向の反対方向に向けて開放されている。開口部５４ｒは、ＹＺ平面に沿って延びている。
【００４０】
アンテナ５５は、基板５４の開口部５４ｒに収容されている。アンテナ５５は、軸心Ａｘが基板５４の長手方向、すなわちＺ方向に沿って延びたコイルアンテナとして構成されている。図１３に示されるように、本実施形態では、開口部５４ｒによって、基板５４とアンテナ５５とがＹ方向に並んで配置されている。また、図３，１０に示されるように、アンテナ５５が前側空間４１ｓのＹ方向の縁部４１ｓ２よりもＹ方向の反対方向の縁部４１ｓ１の近くに位置され、スイッチボタン５３（操作部５８ａ）が縁部４１ｓ１よりも縁部４１ｓ２の近くに位置されている。
【００４１】
図１０に示されるように、電池保持部５６は、例えば、隔壁部５１ｂと、蓋部材５９と、を有する。蓋部材５９は、ＹＺ平面に沿って延びており、ユニットケース５１の空間５１ｓをＸ方向の反対方向（後側）から覆っている。蓋部材５９は、図８に示される結合具６１によって、ユニットケース５１に着脱可能に結合されている。このような構成により、作業者は、スイッチボックス４０からサブアセンブリ７０を取り外し、蓋部材５９を取り外すことにより、容易に電池５７（図１０参照）を交換することができる。
【００４２】
また、図１１に示されるように、隔壁部５１ｂのＺ方向の反対方向の端部には、凹部５１ｂ１が設けられている。凹部５１ｂ１は、電池５７とは離れる方向に凹んでいる。凹部５１ｂ１のＹ方向に沿った幅は、電池５７の正極端子のＹ方向に沿った幅よりも大きく、電池５７の負極端子のＹ方向に沿った幅よりも小さい。そして、電池５７の正極端子が凹部５１ｂ１内に進入した状態でスイッチユニット５０側の端子部と接触するよう構成されている。これにより、電池５７が電池保持部５６に逆向きに挿入された場合の、電池５７の負極端子とスイッチユニット５０側の端子部との接触が抑制されている。
【００４３】
図１２に示されるように、ボタンカバー５８は、例えば、操作部５８ａと、壁部５８ｂと、突出部５８ｃと、を有する。壁部５８ｂは、ＹＺ平面に沿って延びており、ユニットケース５１の空間５１ｒをＸ方向から覆っている。ボタンカバー５８は、例えば、ゴムやエラストマ等の弾性部材によって構成されている。
【００４４】
また、図１４，１５に示されるように、壁部５８ｂの周縁部には、シール部５８ｄが設けられている。図１０，１２にも示されるように、シール部５８ｄは、ユニットケース５１の周壁部５１ａとユニットカバー５２の周壁部５２ａとのそれぞれの全周に亘って設けられている。本実施形態では、ユニットケース５１とユニットカバー５２とが互いに一体化された状態では、周壁部５１ａと周壁部５２ａとの間にシール部５８ｄが弾性変形した状態で挟まれている。これにより、シール部５８ｄよりも内側（スイッチボタン５３側）への雨水等の侵入が抑制されている。ボタンカバー５８は、シール部材の一例である。
【００４５】
操作部５８ａは、壁部５８ｂからスイッチボタン５３の可動部５３ａ（図１２参照）を覆うように突出している。操作部５８ａは、スイッチボタン５３のＸ方向（前側）に位置され、Ｘ方向とは反対方向（後側）に押圧されることにより、スイッチボタン５３の可動部５３ａを押圧可能である。操作部５８ａは、ユニットカバー５２に設けられた開口部５２ｂ１に収容される。
【００４６】
また、操作部５８ａは、Ｘ方向を向いた操作面５８ａ１と、開口部５２ｂ１の縁部に面した外周面５８ａ２と、を有する。図１０に示されるように、操作面５８ａ１は、カバープレート４３に設けられた開口部４３ｅから露出している。本実施形態では、操作面５８ａ１は、カバープレート４３の面４３ａ１よりもＸ方向の反対方向、すなわち蓋４２から離れて位置されている。これにより、操作面５８ａ１が不用意に押されるのが抑制されている。
【００４７】
また、図１４に示されるように、各操作面５８ａ１には、スイッチボタン５３の機能に対応したマークが施されている。本実施形態では、複数のスイッチボタン５３は、Ｚ方向からＺ方向の反対方向に向けて、開スイッチ、停止スイッチ、閉スイッチ、の順で配置されている。開スイッチは、開閉体１０（図１参照）の開方向への動作を出力するスイッチボタン５３であり、このスイッチボタン５３に対応した操作面５８ａ１には、開方向、すなわちＺ方向側を頂点とする三角形のマークが施されている。停止スイッチは、開閉体１０の開閉動作の停止を出力するスイッチボタン５３であり、このスイッチボタン５３に対応した操作面５８ａ１には、四角形のマークが施されている。閉スイッチは、開閉体１０の閉方向への動作を出力するスイッチボタン５３であり、このスイッチボタン５３に対応した操作面５８ａ１には、閉方向、すなわちＺ方向の反対方向側を頂点とする三角形のマークが施されている。
【００４８】
図１２に示されるように、外周面５８ａ２は、ユニットカバー５２の突出部５２ｃによって支持されている。具体的には、外周面５８ａ２と突出部５２ｃとがＸ方向に互いに引っ掛かっている。仮に、ユニットカバー５２に突出部５２ｃが設けられなかった場合、外周面５８ａ２と開口部５２ｂ１の縁部との間の隙間に塵芥等が堆積した状態で操作部５８ａが押圧されると、操作部５８ａがスイッチボタン５３を押した状態で引っ掛かる虞がある。この場合、操作部５８ａおよびスイッチボタン５３を押圧操作できなくなったり、逆に操作部５８ａを操作していないにも拘わらずスイッチボタン５３が押された状態が継続してしまったりする虞がある。その点、本実施形態によれば、外周面５８ａ２が突出部５２ｃによって支持されているため、上述した隙間に塵芥等が堆積した状態で操作部５８ａが押圧されたとしても、操作部５８ａの中心部は弾性変形することができるため、操作部５８ａがスイッチボタン５３の押圧を解除する位置に容易に復帰する。よって、本実施形態によれば、例えば、操作不能となったり、不本意な押圧状態となって電池５７が消耗したりするのを、抑制することができる。
【００４９】
図１２に示されるように、突出部５８ｃは、壁部５８ｂからＸ方向およびその反対方向に突出している。突出部５８ｃは、基板５４に設けられた発光部６５に対応する位置に設けられている。突出部５８ｃは、ユニットカバー５２に設けられた開口部５２ｅに収容される。本実施形態では、ボタンカバー５８のうち少なくとも突出部５８ｃは、透明な材料によって構成されている。したがって、発光部６５の光は、突出部５８ｃを介して、Ｘ方向（前方）から視認可能である。
【００５０】
また、図３に示されるように、突出部５８ｃは、カバープレート４３に設けられた切欠部４３ｆから露出している。切欠部４３ｆは、操作部５８ａを露出させる開口部４３ｅと繋がっており、開スイッチに対応した操作部５８ａの上方（Ｚ方向）に位置されている。本実施形態では、突出部５８ｃの先端部は、カバープレート４３の面４３ａ１よりも後方、すなわち蓋４２から離れて位置されている。これにより、発光部６５の光が、太陽光等の光によって見え難くなるのが抑制されている。また、突出部５８ｃ（切欠部４３ｆ）が、操作部５８ａの上方（Ｚ方向）に設けられているため、発光部６５の光が操作者の指等によって隠れるのが抑制される。
【００５１】
以上のように、本実施形態では、例えば、スイッチボックス４０は、電磁波遮蔽性の材料で構成され、前側空間４１ｓ（第一の開口部）が設けられたケース４１と、電磁波遮蔽性の材料で構成され、前側空間４１ｓを開閉可能に覆う蓋４２と、ケース４１に収容され、スイッチボタン５３と、スイッチボタン５３の操作信号を無線送信するアンテナ５５と、を有したスイッチユニット５０と、を備える。よって、本実施形態によれば、例えば、蓋４２が閉じられた状態でのスイッチボタン５３の操作を防止でき、ひいてはシャッター装置１（開閉装置）の防犯性を高めることができる。また、本実施形態では、無線式のスイッチボックス４０として構成されているため、例えば、有線式のタイプと比べて、ケース４１に配線を通すための開口部等を設ける必要が無くなり、ひいてはケース４１内への雨水や塵芥等の侵入が抑制されたり、ケース４１がより容易に成形されたりしうる。
【００５２】
また、本実施形態では、例えば、スイッチボタン５３の可動部５３ａを覆い押圧操作に応じて可動部５３ａとともに移動するボタンカバー５８と、蓋４２が開いた状態で露出する面４３ａ１（第一の面）を有し、少なくともボタンカバー５８の操作面５８ａ１を露出させる開口部４３ｅが設けられ、スイッチユニット５０を覆うカバープレート４３と、を備え、操作面５８ａ１は、面４３ａ１よりも蓋４２から離れて位置されている。よって、本実施形態によれば、例えば、スイッチボタン５３の操作面５８ａ１に誤って物等が当たるのが抑制されたり、カバープレート４３とスイッチユニット５０とが一体化されたサブアセンブリの運搬時等に操作面５８ａ１が不用意に押されるのが抑制されたりしうる。よって、例えば、操作者の意図しない誤操作が抑制され、ひいては電池５７の無駄な消耗を抑制することができる。
【００５３】
また、本実施形態では、例えば、ケース４１は、蓋４２を開閉可能に支持する第一の部分４１Ａと、第一の部分４１Ａとは異なる第二の部分４１Ｂと、を有し、スイッチボックス４０は、蓋４２を閉じた状態でケース４１にロックするロック機構８０と、蓋４２が開いた状態で、スイッチユニット５０、カバープレート４３、および第一の部分４１Ａが一体化されたサブアセンブリ７０を、第二の部分４１Ｂに着脱可能に結合する結合具６０（結合機構）と、を備える。よって、本実施形態によれば、例えば、ロック機構８０および結合具６０によって、防犯性を高めることができつつ、スイッチボックス４０の組立作業や、メンテナンス作業（電池５７の交換作業）等がより容易に行われやすくなる。
【００５４】
また、本実施形態では、例えば、基板５４の蓋４２側にスイッチボタン５３が設けられ、基板５４のスイッチボタン５３とは反対側に電池保持部５６が設けられている。よって、本実施形態によれば、例えば、電源となる電池５７を、スイッチボタン５３の操作に関与しない位置に配置できる。また、スイッチボタン５３や、電池５７、基板５４等を、スイッチユニット５０内でより効率良く配置できるため、スイッチユニット５０、ひいてはスイッチボックス４０がより小型化されうる。
【００５５】
また、本実施形態では、例えば、基板５４とアンテナ５５とが、基板５４の厚さ方向と交差したＹ方向（第二の方向）に並んで配置されている。よって、本実施形態によれば、例えば、基板５４とアンテナ５５とが基板５４の厚さ方向に沿うＸ方向（第一の方向）に並んだ場合と比べて、スイッチユニット５０、ひいてはスイッチボックス４０がＸ方向によりコンパクトに構成されうる。
【００５６】
また、本実施形態では、例えば、スイッチボタン５３とアンテナ５５とが、Ｙ方向にオフセットして配置されている。よって、本実施形態によれば、例えば、スイッチボタン５３の影響によってアンテナ５５の通信性能が低下するのが抑制されやすい。
【００５７】
また、本実施形態では、例えば、アンテナ５５は、軸心Ａｘが基板５４に沿って配置されたコイルアンテナであり、基板５４に設けられた開口部５４ｒに収容されている。よって、本実施形態によれば、例えば、基板５４に開口部５４ｒが無い場合と比べて、基板５４とアンテナ５５とがＹ方向によりコンパクトに配置されうる。また、本実施形態では、アンテナ５５が基板５４の長手方向（Ｚ方向）に沿って延びるコイルアンテナとして構成されているため、例えば、アンテナ５５が基板５４の短手方向（Ｙ方向）に沿って延びるコイルアンテナとして構成された場合と比べて、アンテナ５５の通信性能が高まりやすい。
【００５８】
また、本実施形態では、例えば、蓋４２がヒンジ部４４を介してケース４１に回動可能に支持され、前側空間４１ｓは、縁部４１ｓ１と、縁部４１ｓ１の反対側に位置され、縁部４１ｓ１よりもヒンジ部４４から離れた縁部４１ｓ２と、を含み、縁部４１ｓ１よりも縁部４１ｓ２の近くにスイッチボタン５３が設けられ、縁部４１ｓ２よりも縁部４１ｓ１の近くにアンテナ５５が設けられている。よって、本実施形態によれば、例えば、スイッチボタン５３がヒンジ部４４から離間するため、スイッチボタン５３が操作しやすくなる上、アンテナ５５がスイッチボタン５３から離間するため、スイッチボタン５３がアンテナ５５の通信性能に影響を及ぼし難くなる。
【００５９】
また、本実施形態では、例えば、スイッチユニット５０は、Ｘ方向に開放された空間５１ｒが設けられた周壁部５１ａを有したユニットケース５１と、Ｘ方向を向いた面５４ａを有した基板５４と、面５４ａに設けられたスイッチボタン５３と、Ｘ方向とは反対方向に押圧されることによりスイッチボタン５３を押す操作部５８ａを有し、周壁部５１ａの全周に亘って接触して空間５１ｒを塞ぐとともに基板５４を覆う、ボタンカバー５８（シール部材）と、ボタンカバー５８のユニットケース５１とは反対側に位置され、操作部５８ａの押圧を可能とする開口部５２ｂ１が設けられ、周壁部５１ａのボタンカバー５８とは反対側に位置され当該周壁部５１ａとの間でボタンカバー５８を挟む周壁部５２ａ（挟持部）を有した、ユニットカバー５２と、を備える。よって、このような構成によれば、例えば、スイッチボタン５３のカバーと、ユニットケース５１およびユニットカバー５２の間のシール部材と、を別個に設けた構成に比べて、部品点数を減らすことができ、ひいては、製造に要する手間や費用が低減されやすい。また、二つの部材（ユニットケース５１およびユニットカバー５２）によってボタンカバー５８（シール部材）を挟むことでシールする構造であるため、シール部材を接着したり溶着したりする構成と比較して、製造に要する手間や費用がより一層減りやすい。
【００６０】
また、本実施形態では、例えば、ユニットカバー５２は、開口部５２ｂ１内で操作部５８ａの外周面５８ａ２を支持する突出部５２ｃ（支持部）を有する。よって、本実施形態によれば、例えば、外周面５８ａ２と開口部５２ｂ１の縁部との間の隙間に塵芥等が堆積した状態で操作部５８ａが押圧されたとしても、操作部５８ａの中心部は弾性変形することができるため、操作部５８ａがスイッチボタン５３の押圧を解除する位置に容易に復帰する。よって、例えば、操作不能となったり、不本意な押圧状態となって電池５７が消耗したりするのを、抑制することができる。
【００６１】
＜第２実施形態＞
図１６に示される実施形態のスイッチボックス４０Ａは、上記第１実施形態のスイッチボックス４０と同様の構成を備えている。よって、本実施形態によっても、上記第１実施形態と同様の構成に基づく同様の結果（効果）が得られる。
【００６２】
ただし、本実施形態では、例えば、図１６に示されるように、ケース４１の少なくとも一部が壁部２ａに埋まった状態に設けられている点が、上記第１実施形態と相違している。具体的には、本実施形態では、ケース４１のうち第二の部分４１Ｂの略全域が壁部２ａに埋まっている。第一の部分４１Ａは、壁部２ａの表面に対して僅かに突出している。よって、スイッチユニット５０、カバープレート４３、および第一の部分４１Ａが一体化されたサブアセンブリ７０は、壁部２ａの外側で第二の部分４１Ｂに対して着脱可能である。よって、本実施形態によれば、例えば、ケース４１が壁部２ａの表面に取り付けられた場合と比べて、スイッチボックス４０Ａの開封や、改変、盗難等が抑制されうる。
【００６３】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６４】
１…シャッター装置（開閉装置）、２…構造物、２ａ…壁部、４０，４０Ａ…スイッチボックス、４１…ケース、４１ｓ…前側空間（第一の開口部）、４１Ａ…第一の部分、４１Ｂ…第二の部分、４２…蓋、４３…カバープレート、４３ａ１…面（第一の面）、４３ｅ…開口部（第二の開口部）、５０…スイッチユニット、５３…スイッチボタン、５３ａ…可動部、５４…基板、５５…アンテナ、５８…ボタンカバー、５８ａ１…操作面、６０…結合具（結合機構）、７０…サブアセンブリ、８０…ロック機構、Ｘ…第一の方向、Ｙ…第二の方向。
【図１】
2018025051.tif 000003
【図２】
2018025051.tif 000004
【図３】
2018025051.tif 000005
【図４】
2018025051.tif 000006
【図５】
2018025051.tif 000007
【図６】
2018025051.tif 000008
【図７】
2018025051.tif 000009
【図８】
2018025051.tif 000010
【図９】
2018025051.tif 000011
【図１０】
2018025051.tif 000012
【図１１】
2018025051.tif 000013
【図１２】
2018025051.tif 000014
【図１３】
2018025051.tif 000015
【図１４】
2018025051.tif 000016
【図１５】
2018025051.tif 000017
【図１６】
2018025051.tif 000018